(57)【要約】【課題】  その目的とするところは内容物を充填してなる包装体をそのまま電子レンジ加熱することができ、その際、包装体の包装袋が破裂を起こすことなく、自動的に内圧を低下させる蒸通機能と遮光性を具備した電子レンジ用包装袋を提供することにある。【解決手段】  電子レンジ用包装袋は、内容物を充填してなる包装体を電子レンジ加熱する際に、発生する蒸気によって、前記包装体に開口部が形成され、当該開口部から蒸気が放散して破袋しない包装体に用いる電子レンジ用包装袋であって、前記電子レンジ用包装袋は、積層体からなり、前記積層体が、順に基材層と絵柄層と第１白色インキ層と第１中間層と遮光性インキ層と熱融着性樹脂層を備えることを特徴とするものである。【選択図】        図１
2020203716.tif 000002
【特許請求の範囲】
【請求項１】
内容物を充填してなる包装体を電子レンジ加熱する際に、発生する蒸気によって、前記包装体に開口部が形成され、当該開口部から蒸気が放散して破袋しない包装体に用いる電子レンジ用包装袋であって、
前記電子レンジ用包装袋は、積層体からなり、
前記積層体が、順に基材層と絵柄層と第１白色インキ層と第１中間層と遮光性インキ層と熱融着性樹脂層を備えることを特徴とする電子レンジ用包装袋。
【請求項２】
前記第１中間層と前記遮光性インキ層との間に第２白色インキ層を備えることを特徴とする請求項１に記載の電子レンジ用包装袋。
【請求項３】
前記遮光性インキ層と前記熱融着性樹脂層との間に第２中間層を備えることを特徴とする請求項１または請求項２に記載の電子レンジ用包装袋。
【請求項４】
前記遮光性インキ層が、黒色顔料を含むＡインキ、アルミニウム粉末またはアルミニウムペーストを含むＢインキ、または前記Ａインキと前記Ｂインキを含むことを特徴とする請求項１乃至請求項３のいずれか一項に記載の電子レンジ用包装袋。
【発明の詳細な説明】
【技術分野】
【０００１】
本発明は、内容物を充填してなる包装体をそのまま電子レンジ加熱することができ、その際、包装体の包装袋が破裂を起こすことなく、自動的に内圧を低下させ、加熱調理できる電子レンジ用包装袋に関し、詳しくは、金属箔層を含まず、遮光性を具備した電子レンジ用包装袋に関する。
【背景技術】
【０００２】
従来、調理済あるいは半調理済等の食品、たとえば、肉まん、あんまん、シュウマイ、餃子、ハンバーガー、ホットドック、スパゲティー、焼きそば、焼きうどん、ビーフン等の調理済めん類等をプラスチック製の包装袋に収納して、食べるに際して電子レンジにより加熱調理する包装食品が市場に出回っている。また、調理済あるいは半調理済の液体、粘体あるいは液体と固体とが混在する内容物、例えば、カレー、シチュー、スープ等の調理済食品をプラスチック製の包装袋に収納して、食べるに際して電子レンジにより加熱調理する包装食品も多く市場に出回っている。最近、このような食品を収納する包装袋には、電子レンジで包装袋ごと加熱する際、食品から発生する蒸気や内部空気の熱膨張により包装袋内部の内圧が上昇したとき、包装袋が破裂を起こすことがないように包装袋に種々の蒸気抜き手段が形成され使用者に利便性を与える包装袋が多く使われている（例えば、特許文献１参照）。
【０００３】
電子レンジ用包装袋を構成する積層体には電子レンジ加熱時のスパークを回避するために金属箔層が含まれていない。そのために遮光性が要求される内容物を充填する場合には、積層体に遮光性を付与する必要がある。積層体への遮光性の付与手段としては、遮光性を付与するための黒色インキ層または銀色インキ層を備え、さらにこれらのインキ層が意匠性に及ぼす悪影響を低減するための白色インキ層を積層することが広く知られている。また、白色インキ層と、有色インキ層とを積層し、意匠性への影響を考慮した方法も知られている（例えば、特許文献２参照）。
【先行技術文献】
【特許文献】
【０００４】
【特許文献１】特開２００５−５９８７２号公報
【特許文献２】特開平１１−２７７６６７号公報
【発明の概要】
【発明が解決しようとする課題】
【０００５】
しかしながら、黒色インキ層または銀色インキ層と、白色インキ層とを積層する方法は、黒色インキ層または銀色インキ層により広い波長領域の光線を遮蔽することができるが、
基材の一方の側に黒色インキ層と白色インキ層、または銀色インキ層と白色インキ層が印刷等により重ね刷りして形成されるために黒色インキ層または銀色インキ層が絵柄印刷層の沈み込み等の影響を及ぼし、十分な意匠性が得られないという問題がある。さらに、悪影響を低減するために白色インキ層を高濃度にしたり、複数層を重ね刷りする方法もあるが残留溶剤による臭気の問題やインキ層間剥離等により積層体の物性の低下等の問題を引き起こすことがある。特許文献２は有色インキ層のために絵柄印刷層の沈み込みは低減されたが、特定の波長領域の光線しか遮蔽できないために遮光性が十分でないとう問題がある。
【０００６】
そこで本発明は、上記問題を解決すべくなされたものであり、鋭意、研究の結果、中間層を介して白色インキ層と遮光性インキ層とを設けることで遮光性と意匠性を両立できることを見出し本発明に至った。すなわち、その目的とするところは内容物を充填してなる包装体をそのまま電子レンジ加熱することができ、その際、包装体の包装袋が破裂を起こすことなく、自動的に内圧を低下させる蒸通機能と遮光性を具備した電子レンジ用包装袋を提供することにある。
【課題を解決するための手段】
【０００７】
本発明は、上記課題を達成するために、請求項１記載の本発明の電子レンジ用包装袋は、内容物を充填してなる包装体を電子レンジ加熱する際に、発生する蒸気によって、前記包装体に開口部が形成され、当該開口部から蒸気が放散して破袋しない包装体に用いる電子レンジ用包装袋であって、前記電子レンジ用包装袋は、積層体からなり、前記積層体が、順に基材層と絵柄層と第１白色インキ層と第１中間層と遮光性インキ層と熱融着性樹脂層を備えることを特徴とするものである。
【０００８】
また、請求項２記載の本発明は、請求項１に記載の電子レンジ用包装袋において、前記第１中間層と前記遮光性インキ層との間に第２白色インキ層を備えることを特徴とするものである。
【０００９】
また、請求項３記載の本発明は、請求項１または請求項２に記載の電子レンジ用包装袋において、前記遮光性インキ層と前記熱融着性樹脂層との間に第２中間層を備えることを特徴とするものである。
【００１０】
また、請求項４記載の本発明は、請求項１乃至請求項３のいずれか一項に記載の電子レンジ用包装袋において、前記遮光性インキ層が、黒色顔料を含むＡインキ、アルミニウム粉末またはアルミニウムペーストを含むＢインキ、または前記Ａインキと前記Ｂインキを含むことを特徴とするものである。
【発明の効果】
【００１１】
本発明の電子レンジ用包装袋は、食品等の内容物を充填してなる包装体をそのまま電子レンジ加熱することができ、その際、包装体の包装袋が破裂を起こすことなく、自動的に内圧を低下させる蒸通機能と遮光性を具備することができる。
【図面の簡単な説明】
【００１２】
【図１】本発明に係る電子レンジ用包装袋の一実施形態を示す平面図である。
【図２】図１の（イ）はＡ−Ａ線の断面図、（ロ）はＢ−Ｂ線断面図である。
【図３】本発明に係る電子レンジ用包装袋の積層体の一実施形態を示し、（イ）に第１実施例、（ロ）に第２実施例を示す積層体の断面図である。
【図４】本発明に係る電子レンジ用包装袋の積層体の一実施形態を示し、（ハ）に第３実施例、（ニ）に第４実施例を示す積層体の断面図である。
【発明を実施するための形態】
【００１３】
上記の本発明について、図面等を用いて以下に詳述する。
図１は本発明に係る電子レンジ用包装袋の一実施形態を示す平面図、図２は図１の（イ）はＡ−Ａ線の断面図、（ロ）はＢ−Ｂ線断面図、図３は本発明に係る電子レンジ用包装袋の積層体の一実施形態を示し、（イ）に第１実施例、（ロ）に第２実施例を示す積層体の断面図、図４は本発明に係る電子レンジ用包装袋の積層体の一実施形態を示し、（ハ）に第３実施例、（ニ）に第４実施例を示す積層体の断面図であり、図中の１は電子レンジ用包装袋、２は胴部材、３は底部材、３ａは折り曲げ部、４は上部接合部、５は側部接合部、６は底部接合部、７はコの字状接合部、７ａは未接合部、８はノッチ、１０は積層体、１１は基材層、１２は絵柄層、１３は第１白色インキ層、１４は第１中間層、１４’は第２中間層、１５は遮光性インキ層、１６は熱融着性樹脂層、１７は第２白色インキ層、１８は接着層をそれぞれ示す。
【００１４】
図１は本発明に係る電子レンジ用包装袋の一実施形態を示す平面図である。本発明に係る一実施形態の電子レンジ用包装袋１は、当該電子レンジ用包装袋１に内容物を充填してなる包装体を電子レンジ加熱する際に、発生する蒸気によって、破袋しない包装体に用いられるものである。電子レンジ用包装袋１は、易蒸通手段としてコの字状接合部７を備えることにより、発生する蒸気等によって内圧が上昇したとき、コの字状接合部７に開口部（図示しない）が形成され、当該開口部から蒸気が放散される構成を備えている。
【００１５】
本発明にかかる電子レンジ用包装袋１は、図１に示すように、積層体１０（図３、図４参照）からなる胴部材２と底部材３を備え、２枚の矩形状の胴部材２を対向して配置し、底部材３をＶ字状に折り曲げ、その折り曲げ部３ａが上側になるようにして前記の対向して配置した胴部材２の下部に挿入し、２枚の胴部材２と底部材３の周縁を熱接着して側部接合部５、底部接合部６、上部接合部４を設けた自立袋の形態である。内容物を充填する前は上部接合部４は開口されており、開口よりエア等を吹き込みＶ字状に折り畳まれた底部材３を拡開し底部を形成した後、内容物が充填され、拡開された底部の形状が安定すると共に自立できる形態となる。なお、後述するが、積層体からなる胴部材２、底部材３において、接合される面は熱融着性樹脂層１６（図３、図４参照）同士が対面して配置される。
【００１６】
図１に示すように電子レンジ用包装袋１は右側の側部接合部５の上部に易蒸通手段としてコの字状接合部７を備える。コの字状接合部７は接合幅はコの字状接合部７を除く側部接合部５の接合幅より狭くなっており、コの字状接合部７の開いた側が外側を向き、閉じた側が内側に突出している。コの字状接合部７の外縁から右側の側部接合部の外縁までは２枚の胴部材２同士が接着されず未接合部７ａとなっている。このような構成とすることにより、包装体を電子レンジ庫内に自立させた状態で載置し加熱調理した際、加熱により発生する電子レンジ用包装袋１内の蒸気等で内圧が高まると、コの字状接合部７の接合幅は電子レンジ用包装袋１の接合部のうち、最も狭幅となっているためにコの字状接合部７の接合状態が最初に内圧により自動的に解除され、開口部（図示しない）が形成され、当該開口部より蒸気が放散すると共に内圧を低下させるので電子レンジ用包装袋１が破袋することがない。易蒸通手段とは内容物を充填した包装体を電子レンジ加熱する際、発生する蒸気等によって、高まった内圧により自動的に開口部が形成される手段のことであり、図１に示したコの字状接合部７に限定されるものではなく、例えばヘの字状等の形状でもよく、また、周縁接合部の一部に狭幅の接合部を設けてもよい。あるいは周縁接合部で囲まれた胴部材２の領域内において、未接合部を狭幅の接合部で囲繞し、囲繞された未接合部領域内にスリット、孔等を設けた公知の易蒸通手段等も使用できる。また、上部に易開封手段としてノッチ８が少なくとも１つ備えている。
【００１７】
図２（イ）は、図１のＡ−Ａ線断面図であり、本発明の電子レンジ用包装袋１におけるコの字状接合部７の説明図であり、図２（ロ）は、図１のＢ−Ｂ線断面図であり、底部の構造の説明図である。コの字状接合部７は図２（イ）に示すように狭幅となっており、その外縁からは未接合部７ａとなっており、胴部材２同士が接着されず開放されている。
底部は図２（ロ）に示すように２枚の胴部材２の熱融着性樹脂層１６（図３、図４参照）同士を対向させて配置し、その間に底部材３の熱融着性樹脂層１６面を外側にして折り曲げ部３ａで山折りして挿入し、熱接着することにより舟形状の底部接合部６が形成された公知の形態である。
【００１８】
上部接合部４は、内容物を充填する前は接合されず開口とされており、当該開口から内容物を充填した後、接合されることによって密封包装されるものである。なお、電子レンジ用包装袋１の形態は、自立袋に限定されるものではなく、三方袋、四方袋等の形態でもよいが、便利性、安全性の観点から自立袋が好ましい。
【００１９】
図３は本発明に係る電子レンジ用包装袋１の積層体１０の一実施形態を示す断面図であり、（イ）に第１実施例、（ロ）に第２実施例を示す。図３を参照しながら本発明の電子レンジ用包装袋に用いる積層体１０の構成例について説明する。図３（イ）に示すように第１実施例の積層体１０は、順に基材層１１、絵柄層１２、第１白色インキ層１３、接着層１８、第１中間層１４、遮光性インキ層１５、接着層１８、熱融着性樹脂層１６を備えた構成である。
【００２０】
基材層１１としては、耐熱性を有し、通常、電子レンジによる加熱に耐える材質あれば、特に、限定されるものではない。例えば、延伸ポリエチレンテレフタレートフィルム、シリカ蒸着延伸ポリエチレンテレフタレートフィルム、酸化アルミ蒸着延伸ポリエチレンテレフタレートフィルム、延伸ナイロンフィルム、シリカ蒸着延伸ナイロンフィルム、酸化アルミ蒸着延伸ナイロンフィルム等のいずれか、またはこれらの２つ以上を積層した複合フィルムが使用できる。また、基材層１１の厚みは９μｍ〜５０μｍ、好ましくは９μｍ〜３０μｍ程度である。
【００２１】
絵柄層１２は、デザイン等の絵柄による意匠性を付与したり、文字、記号、数字等が、例えばグラビアインキを用いてグラビア印刷法で形成される。
【００２２】
第１白色インキ層１３は、チタン白等の白色顔料を含むグラビアインキを用いてグラビア印刷法により形成される。第１白色インキ層１３は絵柄層１２とインラインで形成され、基材層１１を透して絵柄層１２が認識できる所謂裏刷り印刷により形成される。
【００２３】
第１中間層１４としては、電子レンジ用包装袋として、破袋強度、突刺し強度、衝撃強度等の物理的強度、内容物を化学的に保護するためバリア性を付与するためのものであり、基材層１１で示したフィルムやエチレン−ビニルアルコール共重合体フィルム等が使用される。
【００２４】
遮光性インキ層１５は、遮光性を有する顔料等を含むインキであればよいものであるが、カーボンブラック等の黒色顔料を含むＡインキ、アルミニウム粉末あるいはアルミニウムペーストを含むＢインキが好ましい。Ａインキは黒色顔料を含むので黒色であるが、黒色顔料と白色顔料を含むグレー色でもよい。また、Ｂインキも同様に白色顔料や有色顔料を含んでもよい。また、遮光性インキ層１５は、ＡインキとＢインキを含む構成とすることができる。これらの遮光性インキを用いて、グラビア印刷法により形成することができる。遮光性インキ層１５の構成としては、第１中間層１４の熱融着性樹脂層１６と対向する側の面に第１中間層１４／Ａインキ、第１中間層１４／Ｂインキ、第１中間層１４／Ａインキ／Ｂインキ、第１中間層１４／Ｂインキ／Ａインキが代表例として挙げられる。このように遮光性インキ層１５により金属箔を除いた構成であっても優れた遮光性が得られる。
【００２５】
従来、黒色の遮光性インキ層と白色インキ層を重ねてグラビア印刷法で印刷するために白色インキ層が遮光性インキ層により濁るために絵柄層がくすみ、絵柄層が沈み込み、意匠性を損なう問題があった。本発明は、第１中間層１４を介して基材層１１側に第１白色インキ層１３と熱融着性樹脂層１６側に遮光性インキ層１５を設ける構成とすることにより、第１中間層１４を設けることで光の屈折率の異なる層が増え、図３に示すように遮光性インキ層１５よりより上の各層における反射光が増加する結果、白く見えるので意匠性を損なうことなく、さらに第１白色インキ層１３と遮光性インキ層１５とを第１中間層１４を介して設けることにより第１白色インキ層１３と遮光性インキ層１５が第１中間層１４で分離して形成されるために濁ることがなく、より優れた意匠性と優れた遮光性を両立することができる。
【００２６】
熱融着性樹脂層１６は、電子レンジによる加熱に耐える樹脂が使用でき、樹脂としては、例えば、低密度ポリエチレン、直鎖状低密度ポリエチレン、中密度ポリエチレン、高密度ポリエチレン、ポリプロピレン、プロピレン−エチレン共重合体、エチレン−酢酸ビニル共重合体、エチレンーアクリル酸共重合体、エチレン−メタクリル酸共重合体、エチレン−メチルアクリレート共重合体、エチレン−エチルアクリレート共重合体、エチレン−メチルメタクリレート共重合体またはアイオノマー等樹脂を使用できる。熱融着性樹脂層１６はこれらの樹脂を押出ラミネート法により形成しても良いし、予め、Ｔダイ法またはインフレーション法等により製膜したフィルムとしてもよい。熱融着性樹脂層１６の厚さは、２０μｍ〜１００μｍ程度である。
【００２７】
接着層１８は、基材層１１の印刷面と第１中間層１４、及び遮光性インキ層１５と熱融着性樹脂層１６とを接着させるためのものであり、押出ラミネート法、ドライラミネート法等の通常のラミネート法により形成され積層される。接着層１８の樹脂としては、押出ラミネート法に使用されるポリオレフィン系樹脂等、ドライラミネート法に使用されるウレタン系２液反応型接着剤等である。
【００２８】
図３（ロ）は、本発明に係る電子レンジ用包装袋１の積層体１０の第２実施例を示す断面図である。図３（ロ）に示すように第２実施例の積層体１０は、順に基材層１１、絵柄層１２、第１白色インキ層１３、接着層１８、第１中間層１４、遮光性インキ層１５、接着層１８、第２中間層１４’、接着層１８、熱融着性樹脂層１６を備えた構成である。
【００２９】
第２実施例の積層体１０は、遮光性インキ層１５と熱融着性樹脂層１６との間に、さらに第２中間層１４’を備えている。第２中間層１４’を設けることにより、積層体１０が補強され、電子レンジ用包装袋１として蒸通機能が安定して発現するのに加えて、落下強度等が向上するため好ましい。
【００３０】
第２中間層１４’としては、延伸ポリエチレンテレフタレートフィルム、延伸ナイロンフィルム、延伸ポリプロピレンフィルム等が使用でき、フィルムの厚みは９μｍ〜５０μｍ、好ましくは９μｍ〜３０μｍ程度である。また、接着層１８は、基材層１１の印刷面と第１中間層１４、第１中間層１４の基材層１１と対向する面と反対側の面と第２中間層１４’、さらに第２中間層１４’の第１中間層１４と対向する面と反対側の面と熱融着性樹脂層１６とを接着させるためのものであり、上記のラミネート法により形成される。それ以外は実施例１の積層体１０と同じであり、同符号を付して説明を省略する。
【００３１】
図４は、本発明に係る電子レンジ用包装袋１の積層体１０の一実施形態を示す断面図であり、（ハ）に第３実施例、（ニ）に第４実施例を示す。図４（ハ）に示すように第３実施例の積層体１０は、順に基材層１１、絵柄層１２、第１白色インキ層１３、接着層１８、第１中間層１４、第２白色インキ層１７、遮光性インキ層１５、接着層１８、熱融着性樹脂層１６を備えた構成である。
【００３２】
第３実施例の積層体１０は、第１中間層１４と遮光性インキ層１５の間に、さらに第２白色インキ層１７を備えている。それ以外は第１実施例の積層体１０と同じであり、同符号を付して説明を省略する。第２白色インキ層１７は、第１白色インキ層１３と同様の構成であり、チタン白等の白色顔料を含むグラビアインキを用いてグラビア印刷法により第１中間層１４に形成される。第２白色インキ層１７と遮光性インキ層１５はインラインで形成される。積層体１０は、さらに第２白色インキ層１７を備えることにより隠蔽性が向上し、遮光性インキ層１５が絵柄層１２に及ぼす影響をさらに抑制することができ、意匠性が一層向上するものである。
【００３３】
図４（ニ）は、本発明に係る電子レンジ用包装袋１の積層体１０の第４実施例を示す断面図である。図４（ニ）に示すように第４実施例の積層体１０は、順に基材層１１、絵柄層１２、第１白色インキ層１３、接着層１８、第１中間層１４、第２白色インキ層１７、遮光性インキ層１５、接着層１８、第２中間層１４’、接着層１８、熱融着性樹脂層１６を備えた構成である。
【００３４】
第４実施例の積層体１０は、遮光性インキ層１５と熱融着性樹脂層１６との間に、さらに第２中間層１４’を備えている。第２中間層１４’を設けることにより、得られる効果は実施例２で示した通りである。それ以外は実施例３の積層体１０と同じであり、同符号を付して説明を省略する。
【００３５】
具体的な積層体の構成としては、シリカ蒸着層または酸化アルミニウム蒸着層を有する２軸延伸ポリエチレンテレフタレート（ＶＭＰＥＴ）／絵柄層／第１白色インキ層／ドライラミネート（ＤＬ）／２軸延伸ナイロン（ＯＮ）／遮光性インキ層／ＤＬ／直鎖状低密度ポリエチレン（ＬＬＤＰＥ）、ＶＭＰＥＴ／絵柄層／第１白色インキ層／ＤＬ／ＯＮ／遮光性インキ層／ＤＬ／未延伸ポリプロピレン（ＣＰＰ）、ＶＭＰＥＴ／絵柄層／第１白色インキ層／ＤＬ／ＯＮ／第２白色インキ層／遮光性インキ層／ＤＬ／ＬＬＤＰＥ、ＶＭＰＥＴ／絵柄層／第１白色インキ層／ＤＬ／ＯＮ／第２白色インキ層／遮光性インキ層／ＤＬ／ＣＰＰ、ＶＭＰＥＴ／絵柄層／第１白色インキ層／ＤＬ／ＯＮ／遮光性インキ層／ＤＬ／二軸延伸ポリエチレンテレフタレート（ＰＥＴ）または二軸延伸ナイロン（ＯＮ）／ＤＬ／ＬＬＤＰＥまたはＣＰＰ、ＶＭＰＥＴ／絵柄層／第１白色インキ層／ＤＬ／ＯＮ／第２白色インキ層／遮光性インキ層／ＤＬ／ＰＥＴまたはＯＮ／ＤＬ／ＬＬＤＰＥまたはＣＰＰ等である。
【００３６】
本発明の電子レンジ用包装袋は、バリア性を備え、そのまま電子レンジ加熱しても自動開封ができ、かつ、優れた遮光性と意匠性を備え、電子レンジ用の包装体として好適に使用できる。
【符号の説明】
【００３７】
１                電子レンジ用包装袋
２                胴部材
３                底部材
３ａ              折り曲げ部
４                上部接合部
５                側部接合部
６                底部接合部
７                コの字状接合部
７ａ              未接合部
８                ノッチ
１０              積層体
１１              基材層
１２              絵柄層
１３              第１白色インキ層
１４              第１中間層
１４’            第２中間層
１５              遮光性インキ層
１６              熱融着性樹脂層
１７              第２白色インキ層
１８              接着層
【図１】
2020203716.tif 000003
【図２】
2020203716.tif 000004
【図３】
2020203716.tif 000005
【図４】
2020203716.tif 000006